【手続補正書】
【提出日】平成22年7月7日(2010.7.7)
【手続補正１】
【補正対象書類名】特許請求の範囲
【補正対象項目名】全文
【補正方法】変更
【補正の内容】
【特許請求の範囲】
【請求項１】
光電変換により得られた１フレーム分の画像信号を複数フィールドに分けて読み出し可能な撮像素子と、
前記撮像素子を露光して１フレーム分の第１の画像信号を読み出すと共に、前記撮像素子を遮光して、前記複数のフィールドの内の一部のフィールドの第２の画像信号を読み出すように制御する制御手段と、
前記第２の画像信号を、前記１フレームを２次元に分割した複数のブロックのブロック毎に平均し、該平均したブロック毎の画像信号を、前記第１の画像信号の解像度に変換して第３の画像信号を生成する黒画像生成手段と、
前記第３の画像信号を、前記第１の画像信号から減算する減算手段と
を有することを特徴とする撮像装置。
【請求項２】
光電変換により得られた１フレーム分の画像信号を複数フィールドに分けて読み出し可能な撮像素子と、
前記撮像素子の感度に応じて予め設定された、前記撮像素子から読み出すフィールド数を決定する決定手段と、
前記撮像素子を露光して１フレーム分の第１の画像信号を読み出すと共に、前記撮像素子を遮光して、前記決定手段により決定されたフィールド数の第２の画像信号を読み出すように制御する制御手段と、
前記第２の画像信号を、前記１フレームを２次元に分割した複数のブロックのブロック毎に平均し、該平均したブロック毎の画像信号を、前記第１の画像信号の解像度に変換して第３の画像信号を生成する黒画像生成手段と、
前記第３の画像信号を、前記第１の画像信号から減算する減算手段と
を有することを特徴とする撮像装置。
【請求項３】
光電変換により得られた１フレーム分の画像信号を複数のフィールドに分けて読み出し可能な撮像素子と、
前記撮像素子の感度に応じて予め設定された、前記撮像素子から読み出すフィールド数を決定する決定手段と、
前記撮像素子を露光して１フレーム分の第１の画像信号を読み出すと共に、前記撮像素子を遮光して、前記決定手段により決定されたフィールド数の第２の画像信号を読み出すように制御する制御手段と、
前記第２の画像信号を、前記１フレームを２次元に分割した複数のブロックのブロック毎に平均して第３の画像信号を生成し、前記第３の画像信号を複数ブロックずつ加算平均して前記ブロック毎に第４の画像信号を生成し、前記第３の画像信号と前記第４の画像信号とを補正テーブルに基づいて前記ブロック毎に加重加算して第５の画像信号を生成し、該第５の画像信号を前記第１の画像信号の解像度に変換して前記第６の画像信号を生成する黒画像生成手段と、
前記第６の画像信号を、前記第１の画像信号から減算する減算手段と
を有することを特徴とする撮像装置。
【請求項４】
前記黒画像生成手段は、前記複数のブロックの内、第１の領域のブロックについて前記第６の画像信号を生成し、前記第１の領域と異なる第２の領域のブロックについて前記第３の画像信号を前記第１の画像信号の解像度に変換した第７の画像信号を出力し、
前記減算手段は、前記第７の画像信号が出力されていれば、前記第１の画像信号から前記第７の画像信号を減算することを特徴とする請求項３に記載の撮像装置。
【請求項５】
前記フィールド数は、前記各ブロックについて、感度毎に予め設定された数の画素から前記第２の画像信号が読み出されるように設定されており、
前記予め設定された数は、前記黒画像生成手段により前記第２の画像信号を前記各ブロック毎に平均したときに、該平均した画像信号のランダムノイズが予め設定されたノイズ値よりも低くなる画素数であることを特徴とする請求項２乃至４のいずれか１項に記載の撮像装置。
【請求項６】
黒浮き量を取得する取得手段と、
前記取得した黒浮き量の大きさに応じて、前記撮像素子の露光量を減らすように露出を制御する露出制御手段と、
前記露出制御手段により減らされた露光量を補償するように、前記減算手段から出力される画像信号を増幅する増幅手段と
を更に有することを特徴とする請求項１乃至５のいずれか１項に記載の撮像装置。
【請求項７】
光電変換により得られた１フレーム分の画像信号を複数フィールドに分けて読み出し可能な撮像素子を有する撮像装置の制御方法であって、
制御手段が、前記撮像素子を露光して１フレーム分の第１の画像信号を読み出すと共に、前記撮像素子を遮光して、前記複数のフィールドの内の一部のフィールドの第２の画像信号を読み出すように制御する制御工程と、
黒画像生成手段が、前記第２の画像信号を、前記１フレームを２次元に分割した複数のブロックのブロック毎に平均し、該平均したブロック毎の画像信号を、前記第１の画像信号の解像度に変換して第３の画像信号を生成する黒画像生成工程と、
減算手段が、前記第３の画像信号を、前記第１の画像信号から減算する減算工程と
を有することを特徴とする撮像装置の制御方法。
【手続補正２】
【補正対象書類名】明細書
【補正対象項目名】０００９
【補正方法】変更
【補正の内容】
【０００９】
上記課題を解決するために、本発明の撮像装置は、光電変換により得られた１フレーム分の画像信号を複数フィールドに分けて読み出し可能な撮像素子と、前記撮像素子を露光して１フレーム分の第１の画像信号を読み出すと共に、前記撮像素子を遮光して、前記複数のフィールドの内の一部のフィールドの第２の画像信号を読み出すように制御する制御手段と、前記第２の画像信号を、前記１フレームを２次元に分割した複数のブロックのブロック毎に平均し、該平均したブロック毎の画像信号を、前記第１の画像信号の解像度に変換して第３の画像信号を生成する黒画像生成手段と、前記第３の画像信号を、前記第１の画像信号から減算する減算手段とを有することを特徴とする。
【手続補正３】
【補正対象書類名】明細書
【補正対象項目名】００１０
【補正方法】変更
【補正の内容】
【００１０】
また、別の構成によれば、本発明の撮像装置は、光電変換により得られた１フレーム分の画像信号を複数フィールドに分けて読み出し可能な撮像素子と、前記撮像素子の感度に応じて予め設定された、前記撮像素子から読み出すフィールド数を決定する決定手段と、前記撮像素子を露光して１フレーム分の第１の画像信号を読み出すと共に、前記撮像素子を遮光して、前記決定手段により決定されたフィールド数の第２の画像信号を読み出すように制御する制御手段と、前記第２の画像信号を、前記１フレームを２次元に分割した複数のブロックのブロック毎に平均し、該平均したブロック毎の画像信号を、前記第１の画像信号の解像度に変換して第３の画像信号を生成する黒画像生成手段と、前記第３の画像信号を、前記第１の画像信号から減算する減算手段とを有する。
【手続補正４】
【補正対象書類名】明細書
【補正対象項目名】００１１
【補正方法】変更
【補正の内容】
【００１１】
更に別の構成によれば、本発明の撮像装置は、光電変換により得られた１フレーム分の画像信号を複数のフィールドに分けて読み出し可能な撮像素子と、前記撮像素子の感度に応じて予め設定された、前記撮像素子から読み出すフィールド数を決定する決定手段と、前記撮像素子を露光して１フレーム分の第１の画像信号を読み出すと共に、前記撮像素子を遮光して、前記決定手段により決定されたフィールド数の第２の画像信号を読み出すように制御する制御手段と、前記第２の画像信号を、前記１フレームを２次元に分割した複数のブロックのブロック毎に平均して第３の画像信号を生成し、前記第３の画像信号を複数ブロックずつ加算平均して前記ブロック毎に第４の画像信号を生成し、前記第３の画像信号と前記第４の画像信号とを補正テーブルに基づいて前記ブロック毎に加重加算して第５の画像信号を生成し、該第５の画像信号を前記第１の画像信号の解像度に変換して前記第６の画像信号を生成する黒画像生成手段と、前記第６の画像信号を、前記第１の画像信号から減算する減算手段とを有する。
【手続補正５】
【補正対象書類名】明細書
【補正対象項目名】００１２
【補正方法】変更
【補正の内容】
【００１２】
また、光電変換により得られた１フレーム分の画像信号を複数のフィールドに分けて読み出し可能な撮像素子を有する撮像装置の本発明の制御方法は、制御手段が、前記撮像素子を露光して１フレーム分の第１の画像信号を読み出すと共に、前記撮像素子を遮光して、前記複数のフィールドの内の一部のフィールドの第２の画像信号を読み出すように制御する制御工程と、黒画像生成手段が、前記第２の画像信号を、前記１フレームを２次元に分割した複数のブロックのブロック毎に平均し、該平均したブロック毎の画像信号を、前記第１の画像信号の解像度に変換して第３の画像信号を生成する黒画像生成工程と、減算手段が、前記第３の画像信号を、前記第１の画像信号から減算する減算工程とを有することを特徴とする。